(57)【特許請求の範囲】
【請求項１】
操作棒本体の軸方向の端部に種々の先端工具を取り付け可能に形成された先端部と、
前記操作棒本体を壁面に固定する固定手段とを有し、
前記固定手段は、吸盤状の固定部と、前記操作棒本体に取り付ける取付部とを備え、
前記固定手段は、複数の固定部を有し、
前記固定部は、周方向に互いに９０度ずらして４箇所に設けられたことを特徴とする共用操作棒。
【請求項２】
前記操作棒本体は、前記操作棒本体に沿って雨水が流れるのを阻止する雨切りツバと、作業者が所定位置より先端側の操作棒本体を握ることを防止する限界ツバとを有し、
前記雨切りツバと限界ツバとは、前記操作棒本体の軸方向から外部方向に向かって突出して形成され、
前記固定手段は、前記雨切りツバの近傍と、限界ツバの近傍の２箇所に設けられることを特徴とする請求項１に記載の共用操作棒。
【請求項３】
前記固定手段の取付部は、弾性体でリング状に形成され、
前記取付部の内径は、前記操作棒本体の外径よりも小さいことを特徴とする請求項１又は２に記載の共用操作棒。
【請求項４】
前記固定手段の取付部は、複数の部材を組み付けることで円筒状に形成され、前記操作棒本体の軸方向に沿って形成された取付孔を有し、
前記取付孔は、前記操作棒本体の外径とほぼ等しく形成されることを特徴とする請求項１又は２に記載の共用操作棒。
【発明の詳細な説明】
【技術分野】
【０００１】
本発明は、高所用作業車のバケット内等での間接活線作業で使用される共用操作棒に関する。
【背景技術】
【０００２】
たとえば、高所作業車のバケット内で間接活線作業を行う場合、複数の共用操作棒を用いて作業内容に応じた先端工具に先端部を付け替えて作業をし、作業工程の一部が終了すると次の作業工程で必要になるまでバケット内に共用操作棒を立て掛けている。
【０００３】
ところが、バケット内に共用操作棒を斜めに立て掛けると、作業の邪魔になったり、共用操作棒同士が絡まったりするため作業性が悪化する問題がある。
また、作業者が立て掛けた共用操作棒を手にしたときに、絡まった共用操作棒が不意に飛び出して怪我するおそれや、バケット内を整理する手間と時間がかかり、作業時間が延びる問題もある。
【０００４】
そこで、複数の共用操作棒を収容可能な収納袋をバケットの外側にフックで取り付けて、使用していない共用操作棒をこの収納袋に入れて管理することが考えられている（特許文献１参照）。
【０００５】
また、２本の共用操作棒を同時に使用して作業する場合には、バケットの淵を挟み込むようにして固定台を設置し、この固定台に一方の共用操作棒を固定する固定器具を使用して作業を行うことも提案されている（特許文献２参照）。
【先行技術文献】
【特許文献】
【０００６】
【特許文献１】特開２０１２−１３５１２２号公報
【特許文献２】特開２０００−３２４６７３号公報
【発明の概要】
【発明が解決しようとする課題】
【０００７】
しかしながら、特許文献１に記載の収納袋では、共用操作棒を収納袋から引き上げるときに、絡まった他の共用操作棒も同時に引き上げられるおそれがあるため、不意に共用操作棒を落下させないように慎重に共用操作棒を出し入れしなければならず作業性が悪い問題がある。また、共用操作棒同士が絡まるのを防止するため、収納袋に収納する都度整理をしなくてはならないため手間がかかる問題もある。
また、共用操作棒に先端工具を取り付けて収納袋に収納するため、重い先端工具が共用操作棒に装着されている場合、収納袋が反転して落下するおそれがある。
【０００８】
さらに、特許文献２に記載の固定器具は、複数の操作棒を固定するためには、固定器具もその数に応じて必要になり、重い固定器具をバケットに取り付けなければならず、作業時間が長くなり作業性が悪い問題がある。
【０００９】
本発明は、かかる事情に鑑みてなされたものであり、間接活線作業の作業性を損なわずに作業箇所を容易に整理することができ、作業箇所から共用操作棒が落下することを防止する共用操作棒を提供することを主たる課題としている。
【課題を解決するための手段】
【００１０】
操作棒本体の軸方向の端部に種々の先端工具を取り付け可能に形成された先端部と、前記操作棒本体を壁面に固定する固定手段とを有し、
前記固定手段は、吸盤状の固定部と、前記操作棒本体に取り付ける取付部とを備え、前記固定手段は、複数の固定部を有し、前記固定部は、周方向に互いに９０度ずらして４箇所に設けられたことを特徴としている。
【００１１】
共用操作棒が固定手段を有し、前記固定手段は、吸盤状の固定部と、操作棒本体に取り付ける取付部とを備えることで、吸盤状の固定部を高所作業車のバケットの等の所望の壁面に固定することができ、作業性を損なわず作業箇所を容易に整理することができる。
また、バケット等の所望の壁面に共用操作棒を固定することで、固定を解除したときでもバケットの底面があるため共用操作棒の落下を防ぐことが可能となる。
さらに、固定部が周方向に互いに９０度ずらして４箇所に設けられることで、共用操作棒の向きを考慮せずに作業箇所の近傍の壁面に固定することが可能となる。
【００１２】
また、操作棒本体は、前記操作棒本体に沿って雨水が流れるのを阻止する雨切りツバと、作業者が所定位置より先端側の操作棒本体を握ることを防止する限界ツバとを有し、前記雨切りツバと限界ツバとは、前記操作棒本体の軸方向から外部方向に向かって突出して形成され、前記固定手段は、前記雨切りツバの近傍と、限界ツバの近傍の２箇所に設けられるようにしてもよい。
雨切りツバと、限界ツバとの近傍に固定手段が設けられることで、共用操作棒の固定を強固なものにすることが可能となる。このため、重たい先端工具を共用操作棒に装着したときでも、バケット内で共用操作棒が反転することを防止することができる。また、雨切りツバと限界ツバは共用操作棒の重心近くに設けられているので、安定した吸着状態を保つことが可能となる。
【００１３】
さらにまた、固定手段の取付部は、弾性体でリング状に形成され、取付部の内径は、操作棒本体の外径よりも小さいようにしてもよいし、固定手段の取付部は、複数の部材を組み付けることで円筒状に形成され、操作棒本体の軸方向に沿って形成された取付孔を有し、前記取付孔は、前記操作棒本体の外径とほぼ等しく形成されるようにしてもよい。
【発明の効果】
【００１４】
以上述べたように、本発明の共用操作棒によれば、共用操作棒が固定手段を有し、前記固定手段は、吸盤状の固定部と、操作棒本体に取り付ける取付部とを備えることで、吸盤状の固定部を高所作業車のバケット等の所望の壁面に固定することができ、作業性を損なわず作業箇所を容易に整理することができる。
また、バケット等の所望の壁面に共用操作棒を固定することで、固定を解除したときでもバケットの底面があるため共用操作棒の落下を防ぐことが可能となり、作業性の向上と安全性の向上を図ることができる。
【図面の簡単な説明】
【００１５】
【図１】図１は、共用操作棒の全体を示す正面図であり、（ａ）は、固定手段を取り付ける前の状態を示すものであり、（ｂ）固定手段を取り付けた状態を示すものである。
【図２】図２は、共用操作棒のバケットへの取り付け状態を示した断面図である。
【図３】図３は、実施例１における固定手段を示したもので、（ａ）は、固定手段の固定部の全体を示す斜視図である。（ｂ）は、固定手段の固定部に取付部が取り付けられた状態を示す斜視図である。（ｃ）は、固定手段が操作棒本体に取り付けられた状態を示す斜視図である。
【図４】図４は、実施例２における固定手段を示したもので、（ａ）は、固定手段が操作棒本体に取り付けられた状態を示す斜視図である。（ｂ）は、固定手段の斜視図である。
【発明を実施するための形態】
【００１６】
以下、本発明の共用操作棒について、高所作業車のバケット内で作業を行う場合を一例として添付図面を参照して説明する。
【実施例１】
【００１７】
図１及び２に示すように、共用操作棒１は、操作棒本体２の軸方向の端部に種々の先端工具３を取り付け可能に形成された先端部４と、操作棒本体２を高所作業車のバケット５に固定する固定手段６とを有して構成されている。
【００１８】
操作棒本体２は、上下方向に延びる円柱状の部材であり、操作棒本体２の軸方向の上部に位置する上側棒部２１と、上側棒部２１の下方に位置する中間棒部２２と、作業者が手で握ることが可能な径に形成された下側棒部２３とが一体に形成され、ＦＲＰ（繊維強化プラスチック）等の絶縁体素材により構成されている。
【００１９】
操作棒本体２の上側棒部２１の軸方向の端部には、電力設備の間接活線作業のために用いられる種々の先端工具３が装着可能な先端部４が形成されている。
先端部４は、円柱状に形成された嵌合部４１と、操作棒本体２の軸を中心として外方に向かって左右に突出形成された係合突起４２と、嵌合部４１の上面に設けられ嵌合部４１内に収納されたバネ（図示せず）によって上方に付勢された付勢部４３と、を有して構成されている。
【００２０】
操作棒本体２の上側棒部２１と中間棒部２２との間には、円錐台状に形成され、上側棒部２１に付着した雨水が中間棒部２２および下側棒部２３に沿って流れるのを阻止する雨切りツバ１０が設けられている。
【００２１】
操作棒本体２の中間棒部２２と下側棒部２３との間には、作業者が所定位置より先端方向の操作棒本体２を握ることを防止する限界ツバ１１が設けられている。なお、限界ツバ１１は、作業者の注意を引くように赤色などに着色されていることが望ましい。
【００２２】
操作棒本体２の上側棒部２１と中間棒部２２との間には、高電圧に対する注意喚起のための保護表示部１２が設けられている。保護表示部１２は、プラスチック等の絶縁体のもので、表面が黄色に着色されている。
なお、保護表示部１２と限界ツバ１１との間には、限界ツバ１１の軸方向のズレを防止するツバ止め１７が設けられている。
【００２３】
固定手段６は、操作棒本体２の雨切りツバ１０の先端１０ａに設けられる先端側と、限界ツバ１１の先端１１ａに設けられる後端側と、の２箇所に設けられ、図３にも示すように、吸盤状に形成された４つの固定部６０と、操作棒本体２に取り付ける取付部６１とを有して構成されている。
【００２４】
固定部６０は、土台部６２の一端にドーム状の吸盤部６３が形成されている。
吸盤部６３は、共用操作棒１をバケット５の内壁に固定する際に雨切りツバ１０及び限界ツバ１１が内壁と干渉しないように、両ツバ１０，１１よりも外方に突出して形成されている。
なお、後端側の固定手段６の吸盤部６３は、作業者が誤って限界ツバ１１よりも先端側を握らないように限界ツバ１１の下端部よりも下方に延びて形成されていることが望ましい。
【００２５】
土台部６２には、取付部６１を挿通するための挿通孔６５が側面を貫通して形成されている。
挿通孔６５の径は、取付部６１の部材の外径とほぼ等しく形成されている。
【００２６】
取付部６１は、紐状の弾性部材を止め金具６６で両端を接続することでリング状に形成され、操作棒本体２に取り付けたときにずれないようにリングの内径が操作棒本体２の外径よりも小さく形成されている。
【００２７】
したがって、４つの固定部６０の挿通孔６５のそれぞれに取付部６１を挿通し、止め金具６６で取付部６１の両端を止めることで固定手段６が形成されている。
そして、固定手段６を操作棒本体２に取り付けるときは、取付部６１を広げて操作棒本体２の先端部４から挿通し、先端側に取り付けるときは雨切りツバ１０の先端１０ａに、後端側に取り付けるときは限界ツバ１１の先端１１ａに当接するように取り付けた後、固定部６０を周方向に互いに９０度ずらし、吸盤部６３の吸盤面が操作棒本体２の軸方向と平行になるように配置する。
【００２８】
以上で説明した共用操作棒１を高所作業車のバケット５に固定するときは、図２に示すように、固定手段６の固定部６０をバケット５に押し付けることによって共用操作棒１を固定する。
【００２９】
以上のように、本発明の共用操作棒１によれば、共用操作棒１が固定手段６を有し、固定手段６は、吸盤状の固定部６０と、操作棒本体２に取り付ける取付部６１とを備えることで、吸盤状の固定部６０をバケット５の内壁に固定することができ、作業性を損なわずバケット５内を容易に整理することができる。
また、バケット５の内壁に共用操作棒１を固定することで、固定を解除したときでもバケット５の底面があるため共用操作棒１の落下を防ぐことが可能となり、作業性の向上と安全性の向上を図ることができる。
【００３０】
また、雨切りツバ１０と、限界ツバ１１との近傍に固定手段６が設けられることで、共用操作棒１の固定を強固なものにすることが可能となる。
さらに、固定部６０が９０度ずつずらして４箇所に設けられることで、共用操作棒１の向きを考慮せずにバケット５に固定することが可能となる。特に、重い先端工具３を装着した共用操作棒１においては、重心を考慮して固定することができるため、共用操作棒１が落下することを防止することができる。
【実施例２】
【００３１】
前述の実施例においては、固定手段６の取付部６１がリング状に形成されるものであったが、円筒状に形成されるものであってもよい。
以下、本実施例の共用操作棒１について説明するが、実施例１と同一箇所には同一符号を付して説明を省略する。
【００３２】
図４に示すように、固定手段６の取付部６１は、２つの半円筒状の本体部材６７を組み付けることで円筒状に形成されている。また、その中心には操作棒本体２の軸方向に沿って貫通した取付孔６８が形成され、その径は、操作棒本体２の外径とほぼ等しく形成されている。
【００３３】
本体部材６７は、側面の端部に他の本体部材６７と対となる凹凸が形成されており、この凹凸を嵌め合わせることで互いに固定されるようになっている。
また、それぞれの本体部材６７の側面には、２つの固定部６０が９０度ずらして設けられている。具体的には、取付部６１の側面に土台部６２が外方に向かって突出するように固定され、その土台部６２の先端に吸盤部６３が形成されている。
【００３４】
したがって、本体部材６７同士を組み付けると、固定部６０が周方向に互いに９０度ずらして配置され、吸盤部６３の吸盤面が操作棒本体２の軸方向と平行に配置される。
【００３５】
以上で説明した固定手段６を操作棒本体２に取り付けるときは、先端側に取り付ける場合には雨切りツバ１０の先端１０ａに、後端側に取り付ける場合には限界ツバ１１の先端１１ａに操作棒本体２の左右から本体部材６７を挟みこむようにして取り付ける。
【００３６】
なお、本実施例においては、本体部材６７は２つの部材により形成されるように説明したが、これには限られず、３つ以上の部材から形成されるように構成してもよい。
また、本体部材６７を組み付けることにより取付部６１を構成するようにしたが、これらの部材間にヒンジを設けて回動軸とし、止め具により固定することで円筒形状を形成するようにしてもよい。
【符号の説明】
【００３７】
１  共用操作棒
２  操作棒本体
３  先端工具
４  先端部
５  バケット
６  固定手段
６０  固定部
６１  取付部
６７  本体部材
６８  取付孔
１０  雨切りツバ
１１  限界ツバ
【要約】      （修正有）【課題】間接活線作業の作業性を損なわずに高所作業車のバケット内等の作業箇所を容易に整理することができ、作業箇所から共用操作棒が落下することを防止する共用操作棒を提供する。【解決手段】共用操作棒１は、操作棒本体２の軸方向の端部に種々の先端工具３を取り付け可能に形成された先端部４と、操作棒本体を高所作業車のバケットの壁面に固定する固定手段６とを有して構成されている。固定手段は、吸盤状の固定部６０と、操作棒本体に取り付ける取付部とを備えている。高所作業車のバケットに共用操作棒を固定するときは、固定手段の固定部をバケットの内壁に押し付けて固定する。【選択図】図１【図１】
0005442831.tif 000002
【図２】
0005442831.tif 000003
【図３】
0005442831.tif 000004
【図４】
0005442831.tif 000005